(57)【要約】【課題】フィラメント放出手段を伴う塞栓装置配備システムを提供する。【解決手段】体内の一定の脈管の中の所定の部位に一定の塞栓コイル等のような一定の塞栓装置を配置するための医療装置が一定の配給カテーテルおよび当該カテーテルの中に移動可能に配置されている一定の柔軟なプッシャー部材を含む。さらに、一定の塞栓装置が上記プッシャー部材に着脱自在に連結していて、一定の分離用のフィラメントによりそのプッシャー部材の先端部に保持されている。この塞栓装置が一定の脈管の中の所定の部位に進行すると、上記分離用のフィラメントがその塞栓装置から分離してその塞栓装置を放出できる。【選択図】図１
2006043454.tif 000002
【特許請求の範囲】
【請求項１】
一定の脈管の中の所定の部位に一定の塞栓装置を配置することにおいて使用するための脈管閉塞用の塞栓装置配備システムにおいて、
内部を貫通している一定の内孔部を有していて基端部および先端部を有している一定の細長い柔軟なカテーテル、
基端部および先端部を有していて前記カテーテルの内孔部の中に摺動自在に配置されている一定の細長いプッシャー部材、
前記プッシャー部材の先端部に放出可能に係合している複数の巻線を有する一定の塞栓装置、および
前記カテーテルの基端部の基端側の一定の位置から当該カテーテルの内孔部の中を通り前記塞栓装置の一巻きの周囲に延在している一定の分離用のフィラメントを備えており、前記塞栓装置が前記脈管の中の所定の部位に適当に配置される時に、前記分離用のフィラメントが基端側に引っ張られてその分離用のフィラメントが前記塞栓装置の巻線から分離することによりその塞栓装置が前記所定の部位において放出できる脈管閉塞用の塞栓装置配備システム。
【請求項２】
前記プッシャー部材がその内部に貫通している一定の内孔部を含み、前記分離用のフィラメントが前記プッシャー部材の基端部の基端側の一定の位置から当該プッシャー部材の内孔部の中を通り前記塞栓装置の一巻きの周囲に延在していて、前記塞栓装置が前記脈管の中の所定の部位に適当に配置される時に、前記分離用のフィラメントが基端側に引っ張られてその分離用のフィラメントが前記塞栓装置の巻線から分離できる請求項１に記載の脈管閉塞用の塞栓装置配備システム。
【請求項３】
内部を貫通する一定の内孔部を有していて先端部および基端部を有しており、前記プッシャー部材の基端部に取り付けられている一定の保持用のクランプを含み、前記分離用のフィラメントが前記クランプの基端部の基端側の一定の位置から当該クランプの内孔部の中を通りさらに前記カテーテルの内孔部の中を通り前記塞栓装置の一巻きの周囲に延在している請求項１に記載の脈管閉塞用の塞栓装置配備システム。
【請求項４】
前記保持用のクランプが前記分離用のフィラメントに加える圧力を制御するための一定の締め付け用のキャップを有する一定のチャックを含む請求項３に記載の脈管閉塞用の塞栓装置配備システム。
【請求項５】
内部を貫通する一定の内孔部を有していて先端部および基端部を有しており、前記プッシャー部材の基端部に取り付けられている一定の保持用のクランプを含み、前記分離用のフィラメントが前記クランプの基端部の基端側の一定の位置から当該クランプの内孔部の中を通りさらに前記プッシャー部材の内孔部の中を通り前記塞栓装置の一巻きの周囲に延在している請求項２に記載の脈管閉塞用の塞栓装置配備システム。
【発明の詳細な説明】
【技術分野】
【０００１】
関連出願に対するクロス−リファレンス
本特許出願は２００４年７月３０日に出願されている米国仮特許出願第６０／５９２，５８０号による優先権を主張している。
【背景技術】
【０００２】
本発明は人体の一定の脈管の中の所定の部位に一定の塞栓装置を配置するための医療装置に関連しており、特に、一定の塞栓装置を配給するためのカテーテルに基づく配備システムに関連している。この装置は特に所定の部位まで人間の脳の曲がりくねった脈管を通して一定の塞栓コイル等のような塞栓装置を移動することに適している。
【０００３】
多年にわたり、柔軟なカテーテルが人体の種々の脈管の中に種々の装置を配置するために用いられてきた。これらの装置は拡張用のバルーン、放射線不透過性の流体、液体の薬物、および種々のバルーンおよび塞栓コイル等のような閉塞装置を含む。また、これらのカテーテルに基づく装置の例が「メソッド・アンド・アパレイタス・フォー・プレイスメント・オブ・アン・エンボリック・コイル（Method And Apparatus For Placement Of An Embolic Coil）」を発明の名称とする米国特許第５，１０８，４０７号、および「エンドバスキュラー・エレクトロリティカリー・デタッチャブル・ガイドワイヤ・ティップ・フォー・エレクトロフォーメーション・オブ・スロンバス・イン・アーテリーズ，ベインズ，アニューリズムズ，バスキュラー・マルフォーメーションズ・アンド・アーテリオベナス・フィスチュラズ（Endovascular Electrolytically Detachable Guidewire Tip For The Electroformation Of Thrombus In Arteries, Veins, Aneurysms, Vascular Malformations And Arteriovenous Fistulas）」を発明の名称とする米国特許第５，１２２，１３６号において開示されている。これらの特許は種々の動脈瘤を治療するか、あるいは、特定の場所における種々の血管を閉塞するために人体の種々の脈管の中の所定の位置に種々の塞栓コイルを配給するためのカテーテルに基づく装置を開示している。
【０００４】
種々の脈管の中に配置されるコイルは螺旋状に巻かれたコイルの形態を採ることができ、あるいは、不規則に巻かれたコイル、コイルの中に巻かれているコイルまたはその他の類似のコイル構成の形態を採ることもできる。このような種々のコイルの形態の例が「バスキュラー・オクルージョン・アセンブリー（Vascular Occlusion Assembly）」を発明の名称とする米国特許第５，３３４，２１０号、および「バソオクルージョン・コイル・ウィズ・アタッチド・チューブラー・ウーブン・オア・ブレイデッド・フィブラス・カバリング（Vasoocclusion Coil with Attached Tubular Woven or Braided Fibrous Covering）」を発明の名称とする米国特許第５，３８２，２５９号において開示されている。これらの塞栓コイルは一般にプラチナ、金、タングステン、またはこれらの金属の種々の合金等のような一定の放射線不透過性の金属材料により形成されている。多くの場合に、特定の部位における血栓の形成を促進することにより一定の脈管または動脈瘤における血流を閉塞するために数個のコイルがその所定の場所に配置される。
【０００５】
これまでに、種々の塞栓コイルが一定のカテーテルの先端部の中に配置されていた。この場合に、カテーテルの先端部が適当に位置決めされると、コイルが一定のプッシャー部材によりそのカテーテルの端部から押し出されて所望の場所にそのコイルを放出することができる。このような一定の塞栓コイルの配置のための方法は体内の脈管を通るコイルの移動をモニターしてそのコイルを所望の場所に配置できるようにＸ線透視による可視化により行なわれている。
【０００６】
別の方法は上記コイルを一定のガイドワイヤに取り付けるための接着剤またははんだの使用を含み、このガイドワイヤがさらにそのコイルを所定の位置における脈管の中に位置決めするための一定の柔軟なカテーテルの中に配置される。さらに、このコイルが所望の位置に到達すると、このコイルの位置がカテーテルにより保持されて、ガイドワイヤが基端側に引っ張られることによりコイルがそのガイドワイヤから分離してカテーテルから放出される。このようなコイル位置決めシステムが「コアキシャル・トラクション・デタッチメント・アパレイタス・アンド・メソッド（Coaxial Traction Detachment Apparatus and Method）」を発明の名称とする米国特許第５，２６３，９６４号において開示されている。
【０００７】
さらに別のコイル位置決め方法は一定のボールを保持するためにカテーテルの先端部に一定のソケットを伴うカテーテルを有する方法であり、このボールはさらに上記コイルの基端部に結合する。このボールは一般に上記コイルの外径よりも大きく、カテーテルの先端部における内孔部の中のソケットの中に配置された後に、このカテーテルがそのコイルを所望の位置に配置するために一定の脈管の中に移動する。その後、その位置に到達すると、端部に一定のピストンを伴うプッシャー・ワイヤがカテーテルの基端部から先端側に押し込まれてそのソケットからボールを押し出すことによりコイルを所望の位置に放出する。このようなシステムが「アキシャリー・デタッチャブル・エンボリック・コイル・アセンブリー（Axially Detachable Embolic Coil Assembly）」を発明の名称とする米国特許第５，３５０，３９７号において開示されている。
【０００８】
さらに、一定の血管の中に一定の塞栓コイルを配置するための別の方法は上記コイルをカテーテルの先端部に保持するために一定の熱剥離可能な接着剤の結合を使用する方法である。一例のこのようなシステムはコイルをカテーテルの端部から放出するために上記の接着性の結合に対して熱を供給するために一定の光ファイバー・ケーブルを通して伝達されるレーザー・エネルギーを使用している。なお、このような方法は上記の米国特許第５，１０８，４０７号において開示されている。
【０００９】
さらに別のコイル配備システムはカテーテルの全長にわたる一定の内孔部およびコイルを所定の部位に位置決めするためにそのコイルを保持するための一定の先端部分を有するカテーテルを含む。このカテーテルの先端部分はこのカテーテルの内孔部が加圧される時にその先端部分が半径方向に拡張してコイルを所定の部位に放出すると言う特徴を示す一定の材料により形成されている。このような配備システムは「エンボリック・コイル・ハイドローリック・デプロイメント・システム（Embolic Coil Hydraulic Deployment System）」を発明の名称とする米国特許第６，１１３，６２２号において開示されている。
【００１０】
さらに別のコイル配備システムは上記コイルにおける一定のインターロック機構を含む。すなわち、この塞栓コイルのインターロック用の端部が一定のプッシャー組立体における同様のインターロック機構に連結する。この場合に、そのロッキング機構の中を貫通している一定のコントロール・ワイヤがコイルをプッシャー組立体に固定する。さらに、上記のプッシャー組立体および塞栓コイルは初期的に一定のカテーテルの内孔部の中に配置されている。その後、この塞栓コイルが配置のためにカテーテルの端部から押し出される時に、コントロール・ワイヤが後退して、コイルがプッシャー組立体から離脱する。このような配備システムは「デタッチャブル・エンボリック・コイル・アセンブリー（Detachable Embolic Coil Assembly）」を発明の名称とする米国特許第５，９２５，０５９号において開示されている。
【００１１】
さらに別のコイル配備システムは一定のプッシャー部材の先端部分に着脱自在に取り付けられていて一定のコネクター用の糸または繊維によりその位置が保持されている一定の塞栓装置を含む。その後、この繊維は当該コネクター用の繊維を切断するために作動できる一定のカッター部材の中を通る。これにより、このコネクター用の繊維が切断されると、塞栓装置が放出される。このような配備システムは「イントラバスキュラー・デバイス・デプロイメント・メカニズム・インコーポレイテイング・メカニカル・デタッチメント（Intravascular Device Deployment Mechanism Incorporating Mechanical Detachment）」を発明の名称とする公開米国特許特許出願第２００２／０１６５５６９号において開示されている。
【００１２】
さらに別のコイル配備システムは一定の延伸抵抗部材を内部に伴う一定の塞栓装置を含む。すなわち、この延伸抵抗部材の先端部は上記塞栓コイルに取り付けられていて、当該延伸抵抗部材の基端部が接着剤等の種々の手段により一定のプッシャー部材に着脱自在に取り付けられているか、そのプッシャー部材に接着しているか結び付けられている一定のコネクター用の繊維により取り付けられていて熱の供給により分離可能である。このような配備システムは「ストレッチ・レジスタント・テラポイチック・デバイス（Stretch Resistant Therapeutic Device）」を発明の名称とする公開米国特許出願第２００４／００３４３６３号において開示されている。
【００１３】
さらに別のコイル配備システムは一定の塞栓コイルに連結していてカテーテルの内孔部の中に配置される一定の剛性の波形の端部セグメントを伴う一定のプッシャー・ワイヤを含む。このコイルは一定の脈管の中の所定の部位に到達するまでカテーテルの中を進行し、その到達時にプッシャー・ワイヤが後退して、その塞栓コイルが放出される。このようなシステムが「バソオクルージョン・アパレイタス・ハビング・ア・マニピュラブル・メカニカル・デタッチメント・ジョイント・アンド・ア・メソッド・フォー・ユージング・ジ・アパレイタス（Vasoocclusion Apparatus Having A Manipulable Mechanical Detachment Joint And A Method For Using The Apparatus）」を発明の名称とする米国特許第６，２０３，５４７号において開示されている。
【００１４】
さらに別の塞栓装置配備システムは一定のカテーテルの内孔部の中に摺動自在に配置されている一定の細長い柔軟なプッシャー部材を含む。この塞栓装置は一定の分離用のフィラメントと共に上記プッシャー部材の端部に保持される。この場合に、上記の塞栓装置が脈管の中の所定の部位に進行すると、上記分離用のフィラメントが後退して塞栓装置が放出する。
【特許文献１】米国特許第５，１０８，４０７号明細書
【特許文献２】米国特許第５，１２２，１３６号明細書
【特許文献３】米国特許第５，３３４，２１０号明細書
【特許文献４】米国特許第５，３８２，２５９号明細書
【特許文献５】米国特許第５，２６３，９６４号明細書
【特許文献６】米国特許第５，３５０，３９７号明細書
【特許文献７】米国特許第６，１１３，６２２号明細書
【特許文献８】米国特許第５，９２５，０５９号明細書
【特許文献９】公開米国特許出願第２００２／０１６５５６９号明細書
【特許文献１０】公開米国特許出願第２００４／００３４３６３号明細書
【特許文献１１】米国特許第６，２０３，５４７号明細書
【発明の開示】
【発明が解決しようとする課題】
【００１５】
本発明は種々の脈管を通して一定の塞栓コイル等のような塞栓装置を移動することに適している一定の塞栓装置を配給するためのカテーテルに基づく新規な配備システムを提供することを目的としている。
【課題を解決するための手段】
【００１６】
本発明は一定の脈管の中の所定の部位に一定の塞栓装置を配置することにおいて使用するための一定の脈管閉塞用の塞栓装置配備システムに関連しており、このシステムは一定の細長い柔軟なカテーテルおよび一定の細長いプッシャー部材を含み、このプッシャー部材は好ましくはその内部を貫通している一定の内孔部を有していて上記カテーテルの中に摺動自在に配置されている。一定の塞栓装置は、好ましくは複数の巻数を有する一定の螺旋状に巻かれている塞栓コイルの形態を採っており、上記プッシャー部材の先端部に放出可能に連結している。この分離システムはまた上記カテーテルの内孔部を貫通していて、好ましくは上記プッシャー部材の内孔部の中を貫通している一定の分離用のフィラメントも含む。この分離用のフィラメントは一巻きの塞栓コイルの周囲に延在していてカテーテルの内孔部の中に、好ましくはプッシャー部材の内孔部の中に後方に延在している。この場合に、上記塞栓コイルが脈管の中の所定の部位に到達すると、上記分離用のフィラメントが基端側に引っ張られてその分離用のフィラメントを一巻の塞栓コイルにおける係合から離脱させることによりその塞栓コイルを放出できる。
【００１７】
本発明の別の態様によれば、上記脈管閉塞用の塞栓装置配備システムはそのプッシャー部材の基端部に取り付けられている一定の保持クランプ組立体を含む。この保持クランプは好ましくは一定の調節可能なチャックの形態を採っており、このチャックは当該チャックが開口してフィラメントを放出するまでその繊維に一定のクランプ用の圧力を加えてそのフィラメントを保持する。この分離用のフィラメントは上記クランプの中を通りさらに上記プッシャー部材の内孔部の中を通過した後に一巻きの塞栓コイルの周囲に延在した後に、プッシャー部材の内孔部の中さらに保持用のクランプの中に戻る。この結果、保持用のクランプを緩めると、分離用のフィラメントの端部の一方が基端側に引っ張られて当該分離用のフィラメントが塞栓コイルから分離して塞栓コイルが所定の部位に放出できる。
【００１８】
本発明の上記およびその他の態様およびこれらの利点が以下の本発明の一定の好ましい実施形態の説明および各図面によりさらに明らかに理解できるようになる。
【発明の効果】
【００１９】
従って、本発明によれば、種々の脈管を通して一定の塞栓コイル等のような塞栓装置を移動することに適している一定の塞栓装置を配給するためのカテーテルに基づく新規な配備システムが提供できる。
【発明を実施するための最良の形態】
【００２０】
図１は一定の内孔部１４が貫通している細長い柔軟なカテーテル１２を有する本発明の一定の塞栓装置配置システム１０の一例の実施形態を概略的に示している。さらに、一定の細長い柔軟なプッシャー部材１６がカテーテル１２の内孔部１４の中に摺動自在に配置されている。このプッシャー部材１６は一定の基端部１８および一定の先端部２０を含み、この先端部２０は直径が増大している一定の先端側部分２２を含む。さらに、この先端部２０において一定の塞栓装置がプッシャー部材１６に後退可能に取り付けられており、この塞栓装置は好ましくは一定の塞栓コイル２４の形態を採っており、一定の非外傷性の先端側ビーズ２６に連結している複数の螺旋状の巻線２８により形成されている。なお、この塞栓コイル２４は上記塞栓装置の一定の好ましいと考えられる形態であるが、種々の塞栓用のフィラメント、組みひも、拡張可能なメッシュ、発泡体、およびステント等のような別の種々の装置の形態も適合可能である。上記プッシャー部材１６の先端部２０における先端側部分２２は塞栓コイル２４に係合している。また、プッシャー部材１６の基端部１８において一定の保持用のクランプ組立体３０が取り付けられており、この組立体３０は一定のチャック４４に係合している一定のキャップ３２を含む。さらに、端部３６および３８を有する一定の分離用のフィラメント３５が保持用のクランプ組立体３０を貫通していて、塞栓コイル２４の位置を細長いプッシャー部材１６の先端部２０に保持するように作用している。
【００２１】
図２は図１の塞栓装置配備システム１０の形態をさらに詳細に示している。プッシャー部材１６は好ましくはその中を貫通している一定の内孔部４０を有していて、カテーテル１２の内孔部１４の中に摺動自在に配置されている。好ましくは、このプッシャー部材１６はニチノールにより構成されているが、その代わりに、このプッシャー部材はステンレス・スチール、ナイロン、ＰＴＦＥ、およびその他の金属またはポリマーおよび複合物等のような押し出し可能で柔軟な多くの材料により構成できる。加えて、このプッシャー部材１６は約０．００２乃至０．０２０センチメートルの範囲内の一定の外径を有する必要がある。
【００２２】
図示のように、塞栓コイル２４は螺旋形に巻かれているが、例えば、一定の不規則に巻かれているコイル等のような、種々の別の形態も採ることができる。さらに、先端側のビーズ部分２６が塞栓コイル２４の先端部に連結している。この塞栓コイル２４もまたその中を貫通していて複数の螺旋状の巻線２８により形成されている一定の内孔部４２を含む。この塞栓コイル２４の内孔部４２の直径はプッシャー部材１６の先端部２０の直径よりもわずかに大きい。この形態により、塞栓コイル２４はプッシャー部材１６の先端部２０により先端側に押し出すことができる。
【００２３】
分離用のフィラメント３５は端部３６および３８を含み、これらの端部はクランプ組立体３０の基端部から基端側にそれぞれ延出している。この分離用のフィラメント３５は保持用のクランプ組立体３０を貫通してさらにプッシャー部材１６の内孔部４０の中に延在している。さらに、この分離用のフィラメント３５は塞栓コイル２４の複数の螺旋状の巻線２８の内の一つの周りを囲ってプッシャー部材１６の内孔部４０の中に戻り、当該プッシャー部材１６を出てクランプ組立体３０のチャック４４を貫通し、当該クランプ組立体３０の基端部から延出している。この場合に、キャップ３２がチャック４４に圧力を加えることにより、このチャック４４が分離用のフィラメント３５の各端部３６および３８に挟み用の圧力を加えて当該分離用のフィラメント３５の移動を阻止する。従って、キャップ３２がチャック４４においてきつく締まっている状態を保ち、分離用のフィラメント３５がプッシャー部材１６に対して固定されている限り、塞栓コイル２４はプッシャー部材１６の先端部から分離できない。さらに、上記分離用のフィラメント３５はニチノールにより構成されていることが好ましいが、この代わりに、プラチナ、ナイロン、ＰＴＦＥ、柔軟な種々の金属、ポリマー、または複合物等のような種々の別の材料により形成することも可能である。好ましくは、この分離用のフィラメント３５において使用する材料は極めて柔軟であり、一定の高い引張強さおよび一定の張力がこのフィラメントに加えられる時に一定の低い伸び率を有する。この分離用のフィラメント３５の直径は約０．００１乃至０．０９０センチメートルの範囲内であり、好ましくは、約０．００２乃至０．０２０センチメートルの程度である。
【００２４】
図３，３ａ，３ｂおよび３ｃは上記塞栓装置配備システム１０動作を概略的に示していて、上記分離用フィラメントの放出機構を示している。特に、図３は一定の脈管の中における配置状態に類似している所定の場所に位置決めされているカテーテル１２、および塞栓コイル２４がカテーテル１２の先端部から出るように当該カテーテル１２の内孔部１４の中に進行しているプッシャー部材１６を示している。加えて、保持用のクランプ部材３０が分離用のフィラメント３５の各端部３６および３８に張力を維持していて、塞栓コイル２４がプッシャー部材１６の先端部２０に保持されている。
【００２５】
図３ａはカテーテル１２の先端部分の近くの所望の位置に位置決めされている塞栓コイル２４を伴う塞栓装置配備システム１０を示している。この場合に、分離用のフィラメント３５の一端部３６を基端側に引っ張ることを可能にするためにキャップ３２が緩められている。この分離用のフィラメント３５の端部３６が保持用のクランプ組立体３０から基端側に引っ張られると、その分離用のフィラメント３５の他端部３８がプッシャー部材１６の内孔部４０の中を先端側に移動する。
【００２６】
図３ｂは分離用のフィラメント３５の端部３６が保持用のクランプ組立体３０からさらに基端側に引っ張られていて、その分離用のフィラメント３６の他端部３８が塞栓コイル２４の複数の螺旋状の巻線２８の一つの周囲の位置から抜き取られている状態の塞栓装置配備システム１０を示している。
【００２７】
図３ｃは分離用のフィラメント３５の端部３８が塞栓コイル２４の螺旋状の巻線２８から完全に除去されている状態の塞栓装置配備システム１０を示している。これにより、塞栓コイル２４はプッシャー部材１６の先端部２０から分離して、一定の脈管の所定の部位に放出される。
【００２８】
明らかに、上記の好ましいと考えられる実施形態の多数の変更例が存在し、これらの変更例は、例えば、多数のコイル巻線の形態を含む上記コイルの多くの変形例および変更例あるいは別の種類の種々の移植装置等のように、当業界における熟練者において容易に明らかになる。また、上記分離用のフィラメントの経路および取り付けにおいても種々の変形例が明らかに存在する。加えて、上記保持用のクランプ組立体も上記分離用のフィラメントの各端部に圧力を加えるために用いる別の方法により変更可能である。これらの変更例は本発明が関連する当業界における通常の熟練者において明らかになると考えられ、以下の特許請求の各項の範囲内であると考えられる。
【産業上の利用可能性】
【００２９】
本発明は一定の脈管の中の所定の部位に一定の塞栓装置を配置することにおいて使用するための一定の脈管閉塞用の塞栓装置配備システムに適用できる。
【００３０】
本発明の具体的な実施態様は以下のとおりである。
（１）一定の脈管の中の所定の部位に一定の塞栓装置を配置することにおいて使用するための脈管閉塞用の塞栓装置配備システムにおいて、
内部を貫通している一定の内孔部を有していて基端部および先端部を有している一定の細長い柔軟なカテーテル、
基端部および先端部を有していて前記カテーテルの内孔部の中に摺動自在に配置されている一定の細長いプッシャー部材、
前記プッシャー部材の先端部に放出可能に係合している複数の巻線を有する一定の塞栓装置、および
前記カテーテルの基端部の基端側の一定の位置から当該カテーテルの内孔部の中を通り前記塞栓装置の一巻きの周囲に延在している一定の分離用のフィラメントを備えており、前記塞栓装置が前記脈管の中の所定の部位に適当に配置される時に、前記分離用のフィラメントが基端側に引っ張られてその分離用のフィラメントが前記塞栓装置の巻線から分離することによりその塞栓装置が前記所定の部位において放出できる脈管閉塞用の塞栓装置配備システム。
（２）前記プッシャー部材がその内部に貫通している一定の内孔部を含み、前記分離用のフィラメントが前記プッシャー部材の基端部の基端側の一定の位置から当該プッシャー部材の内孔部の中を通り前記塞栓装置の一巻きの周囲に延在していて、前記塞栓装置が前記脈管の中の所定の部位に適当に配置される時に、前記分離用のフィラメントが基端側に引っ張られてその分離用のフィラメントが前記塞栓装置の巻線から分離できる実施態様１に記載の脈管閉塞用の塞栓装置配備システム。
（３）内部を貫通する一定の内孔部を有していて先端部および基端部を有しており、前記プッシャー部材の基端部に取り付けられている一定の保持用のクランプを含み、前記分離用のフィラメントが前記クランプの基端部の基端側の一定の位置から当該クランプの内孔部の中を通りさらに前記カテーテルの内孔部の中を通り前記塞栓装置の一巻きの周囲に延在している実施態様１に記載の脈管閉塞用の塞栓装置配備システム。
（４）前記保持用のクランプが前記分離用のフィラメントに加える圧力を制御するための一定の締め付け用のキャップを有する一定のチャックを含む実施態様３に記載の脈管閉塞用の塞栓装置配備システム。
（５）内部を貫通する一定の内孔部を有していて先端部および基端部を有しており、前記プッシャー部材の基端部に取り付けられている一定の保持用のクランプを含み、前記分離用のフィラメントが前記クランプの基端部の基端側の一定の位置から当該クランプの内孔部の中を通りさらに前記プッシャー部材の内孔部の中を通り前記塞栓装置の一巻きの周囲に延在している実施態様２に記載の脈管閉塞用の塞栓装置配備システム。
【００３１】
（６）前記保持用のクランプが前記分離用のフィラメントに加える圧力を制御するための一定の締め付け用のキャップを有する一定のチャックを含む実施態様５に記載の脈管閉塞用の塞栓装置配備システム。
（７）前記分離用のフィラメントがニチノールにより形成されている実施態様１に記載の脈管閉塞用の塞栓装置配備システム。
（８）前記塞栓装置が螺旋状に巻かれている実施態様１に記載の脈管閉塞用の塞栓装置配備システム。
（９）前記分離用のフィラメントがニチノールにより形成されている実施態様２に記載の脈管閉塞用の塞栓装置配備システム。
（１０）前記塞栓装置が螺旋状に巻かれている実施態様２に記載の脈管閉塞用の塞栓装置配備システム。
【図面の簡単な説明】
【００３２】
【図１】本発明による一定の塞栓装置配備システムの実施形態の拡大した部分断面図である。
【図２】図１のさらに詳細なコイル配備システムを示している拡大した断面図である。
【図３】図１および図２において示されているコイル配備システムの拡大した断面図であり、塞栓装置の進行、分離用のフィラメント、および塞栓装置の放出における連続的な工程を示している。
【図３ａ】図１および図２において示されているコイル配備システムの拡大した断面図であり、塞栓装置の進行、分離用のフィラメント、および塞栓装置の放出における連続的な工程を示している。
【図３ｂ】図１および図２において示されているコイル配備システムの拡大した断面図であり、塞栓装置の進行、分離用のフィラメント、および塞栓装置の放出における連続的な工程を示している。
【図３ｃ】図１および図２において示されているコイル配備システムの拡大した断面図であり、塞栓装置の進行、分離用のフィラメント、および塞栓装置の放出における連続的な工程を示している。
【符号の説明】
【００３３】
１０  塞栓装置配備システム
１２  カテーテル
１４  内孔部
１６  プッシャー部材
１８  基端部
２０  先端部
２２  先端部分
２４  塞栓コイル
２６  ビーズ部分
２８  巻線
３０  クランプ組立体
３２  キャップ
３５  フィラメント
３６，３８  端部
４０  内孔部
４２  内孔部
４４  チャック
４６  内孔部
【図１】
2006043454.tif 000003
【図２】
2006043454.tif 000004
【図３】
2006043454.tif 000005
【図３ａ】
2006043454.tif 000006
【図３ｂ】
2006043454.tif 000007
【図３ｃ】
2006043454.tif 000008
【外国語明細書】
2006043454000001.pdf